(57)【要約】【課題】  ショートメッセージゲートウェイを設置することなく、ＳＭやＩＭの送受信を可能とするメッセージ配信システム、サーバ装置、及びメッセージ配信方法を提供する。【解決手段】  ＰＤＣネットワーク及びＩＭＴ−２０００ネットワークのような非互換性のネットワーク間でＳＭＳの送受信を行う場合に、ＳＭの文字コード変換し、ＩＰネットワークに対してＳＭを配信することにより、一般的に用いられているプロトコルを利用してＳＭを配信可能とする配信サーバをＳＭＳＣの後段に設置する。【選択図】  図３
2006166129.tif 000002
【特許請求の範囲】
【請求項１】
異なる通信方式である第１の通信網と第２の通信網との間でネットワークを介して伝送メッセージの配信を行うメッセージ配信システムであって、
前記第１の通信網には
第１のユーザ端末と、
前記第１のユーザ端末と通信を行う第１のサービスセンタ端末と、
前記第１のサービスセンタ端末と通信を行う第１の配信サーバと、を有し、
前記第２の通信網には、
第２のユーザ端末と、
前記第２のユーザ端末と通信を行う第２のサービスセンタ端末と、
前記第２のサービスセンタ端末と通信を行う第２の配信サーバと、を有し、
前記第１の配信サーバは、前記第１のユーザ端末から受信した伝送メッセージを前記第１のサービスセンタ端末を介して受信し、該伝送メッセージを前記ネットワークを介して前記第２の配信サーバへ送信し、前記第２の配信サーバは、前記第２のサービスセンタ端末を介して前記第２のユーザ端末に該伝送メッセージを送信することを特徴とするメッセージ配信システム。
【請求項２】
前記第１の配信サーバ及び第２の配信サーバは、
受信した伝送メッセージの文字コードを、送信先の通信方式に適した文字コードに変換する文字コード変換手段と、
前記ネットワーク用のメールアドレスと電話番号とが関連付けられたデータベースと、
前記データベースを用いて、前記ネットワーク用のメールアドレスと電話番号とを相互変換するアドレス変換手段と、
前記ネットワークと前記伝送メッセージの送受信を行う通信手段と、
を有することを特徴とする請求項１記載のメッセージ配信システム。
【請求項３】
前記伝送メッセージは、ショートメッセージ又はインスタントメッセージのいずれか一方であることを特徴とする請求項１又は２記載のメッセージ配信システム。
【請求項４】
前記ネットワークは、ＩＰネットワークであることを特徴とする請求項１から３のいずれか１項に記載のメッセージ配信システム。
【請求項５】
異なる通信方式である第１の通信網と第２の通信網との間でネットワークを介して伝送メッセージの配信を行うサーバ装置であって、
前記第１の通信網上のサービスセンタ端末及び前記第２の通信網上のサーバ装置と、前記伝送メッセージの送受信を行う通信手段と、
受信した伝送メッセージの文字コードを、送信先の通信方式に適した文字コードに変換する文字コード変換手段と、
前記ネットワーク用のメールアドレスと電話番号とが関連付けられたデータベースと、
前記データベースを用いて、前記ネットワーク用のメールアドレスと電話番号とを相互変換するアドレス変換手段と、
を有することを特徴とするサーバ装置。
【請求項６】
前記伝送メッセージは、ショートメッセージ又はインスタントメッセージのいずれか一方であることを特徴とする請求項５記載のサーバ装置。
【請求項７】
前記ネットワークは、ＩＰネットワークであることを特徴とする請求項５又は６記載のサーバ装置。
【請求項８】
異なる通信方式である第１の通信網と第２の通信網との間でネットワークを介して伝送メッセージの配信を行うメッセージ配信方法であって、
前記第１の通信網上の第１のサービスセンタ端末は、前記第１の通信網上の第１のユーザ端末から、前記第２の通信網上の第２のユーザ端末に対して送信された伝送メッセージを受信した場合、前記第１の通信網上の第１の配信サーバに対し前記伝送メッセージを送信し、
前記第１の配信サーバは、前記伝送メッセージを前記ネットワークに適した文字コードに変換し、また、電話番号から前記ネットワーク用のメールアドレスに変換し、前記伝送メッセージを前記ネットワークに送信し、
前記ネットワークは、前記第１の配信サーバから前記伝送メッセージを受信し、前記伝送メッセージの宛先に従って、前記第２の配信サーバに送信し、
前記第２の配信サーバは、前記伝送メッセージを前記第２の通信網に適した文字コードに変換し、前記ネットワーク用のメールアドレスから電話番号へ変換し、前記第２の通信網上の第２のサービスセンタ端末に前記伝送メッセージを送信し、
第前記２のサービスセンタ端末から前記伝送メッセージを前記第２のユーザ端末に配信することを特徴とするメッセージ配信方法。
【請求項９】
前記伝送メッセージは、ショートメッセージ又はインスタントメッセージのいずれか一方であることを特徴とする請求項８記載のメッセージ配信方法。
【請求項１０】
前記ネットワークは、ＩＰネットワークであることを特徴とする請求項８又は９記載のメッセージ配信方法。
【発明の詳細な説明】
【技術分野】
【０００１】
本発明は、非互換性のネットワーク間において、ＩＰネットワークを経由してショートメッセージ及びインスタントメッセージを配信するメッセージ配信システム、サーバ装置、及びメッセージ配信方法に関する。
【背景技術】
【０００２】
従来、非互換性のネットワーク間、例えば、ＩＭＴ−２０００ネットワーク−ＰＤＣネットワーク間でショートメッセージ（以下、ＳＭという）やインスタントメッセージ（以下、ＩＭという）の送受信による通信が行われている。例えば、ＳＭのメッセージ配信を行う場合は、それぞれのモバイルネットワークでＳＭのフォーマットが異なるため（非互換性）、ＳＭの形式をそれぞれのネットワークに適したフォーマットに変換する必要があり、その変換を行う装置として、特有のプロトコルを用いる装置であるショートメッセージゲートウェイを設置して、ＳＭを送受信している（例えば、特許文献１，２，３参照）。このショートメッセージゲートウェイは、特有な装置ゆえに高価な装置である。
【特許文献１】特表２００３−５１０９１５号公報
【特許文献２】特開２００１−２９８５５０号公報
【特許文献３】特開２００３−１６３９５３号公報
【発明の開示】
【発明が解決しようとする課題】
【０００３】
しかしながら、上記ショートメッセージゲートウェイは独自方式のＮｏ．７信号上の特殊なプロトコルを利用する必要があり、ＩＭＴ−２０００ネットワーク−ＰＤＣネットワーク間といった互換性のないネットワーク間では、ＳＭの送受信ができない。例えば、上記特許文献１記載のショートメッセージゲートウェイを用いた場合、ＩＭＴ−２０００ネットワークに設置されているショートメッセージサービスセンタ（以下、ＳＭＳＣという）と、ＰＤＣネットワークに設置されているＳＭＳＣとの間では、電話番号、認証情報、課金情報などのネットワーク全体にかかわるサービス管理情報をやり取りする信号方式であるＮｏ．７共通線信号を用いる必要があり、イーサネット（登録商標）に比べて通信費が高いという問題があり、一般的な通信プロトコルを用いることができなかった。
【０００４】
また、インターネット等のＩＰネットワークを経由して接続する非互換性のネットワーク間でＳＭ等のメッセージを送受信する場合には、宛先が電話番号のみでＳＭを送受信することができないという状況であった。
【０００５】
さらに、ショートメッセージゲートウェイは、高価な装置であるため、設置コストがかかるという問題もあった。
【０００６】
本発明は、上記事情に鑑みてなされたものであり、ＰＤＣネットワーク及びＩＭＴ−２０００ネットワークのような非互換性のネットワーク間でＳＭＳの送受信を行う場合に、特殊な装置であるショートメッセージゲートウェイを利用することなく、ＳＭの文字コード変換し、ＩＰネットワークに対して、ＳＭを配信することにより、一般的に用いられているプロトコルを利用してＳＭを配信可能とする配信サーバをＳＭＳＣの後段に設置することにより、インターネット等のＩＰネットワークを経由してＳＭやＩＭの送受信を可能とするメッセージ配信システム、サーバ装置、及びメッセージ配信方法を提供することを目的とする。
【課題を解決するための手段】
【０００７】
かかる目的を達成するために、請求項１記載の発明は、異なる通信方式である第１の通信網と第２の通信網との間でネットワークを介して伝送メッセージの配信を行うメッセージ配信システムであって、第１の通信網には、第１のユーザ端末と、第１のユーザ端末と通信を行う第１のサービスセンタ端末と、第１のサービスセンタ端末と通信を行う第１の配信サーバと、を有し、第２の通信網には、第２のユーザ端末と、第２のユーザ端末と通信を行う第２のサービスセンタ端末と、第２のサービスセンタ端末と通信を行う第２の配信サーバと、を有し、第１の配信サーバは、第１のユーザ端末から受信した伝送メッセージを第１のサービスセンタ端末を介して受信し、伝送メッセージをネットワークを介して第２の配信サーバへ送信し、第２の配信サーバは、第２のサービスセンタ端末を介して第２のユーザ端末に伝送メッセージを送信することを特徴とする。
【０００８】
請求項２記載の発明は、請求項１記載の発明において、第１の配信サーバ及び第２の配信サーバは、受信した伝送メッセージの文字コードを、送信先の通信方式に適した文字コードに変換する文字コード変換手段と、ネットワーク用のメールアドレスと電話番号とが関連付けられたデータベースと、データベースを用いて、ネットワーク用のメールアドレスと電話番号とを相互変換するアドレス変換手段と、ネットワークと伝送メッセージの送受信を行う通信手段と、を有することを特徴とする。
【０００９】
請求項３記載の発明は、請求項１又は２記載の発明において、伝送メッセージは、ショートメッセージ又はインスタントメッセージのいずれか一方であることを特徴とする。
【００１０】
請求項４記載の発明は、請求項１から３のいずれか１項に記載の発明において、ネットワークは、ＩＰネットワークであることを特徴とする。
【００１１】
請求項５記載の発明は、異なる通信方式である第１の通信網と第２の通信網との間でネットワークを介して伝送メッセージの配信を行うサーバ装置であって、第１の通信網上のサービスセンタ端末及び第２の通信網上のサーバ装置と、伝送メッセージの送受信を行う通信手段と、受信した伝送メッセージの文字コードを、送信先の通信方式に適した文字コードに変換する文字コード変換手段と、ネットワーク用のメールアドレスと電話番号とが関連付けられたデータベースと、データベースを用いて、ネットワーク用のメールアドレスと電話番号とを相互変換するアドレス変換手段と、を有することを特徴とする。
【００１２】
請求項６記載の発明は、請求項５記載の発明において、伝送メッセージは、ショートメッセージ又はインスタントメッセージのいずれか一方であることを特徴とする。
【００１３】
請求項７記載の発明は、請求項５又は６記載の発明において、ネットワークは、ＩＰネットワークであることを特徴とする。
【００１４】
請求項８記載の発明は、異なる通信方式である第１の通信網と第２の通信網との間でネットワークを介して伝送メッセージの配信を行うメッセージ配信方法であって、第１の通信網上の第１のサービスセンタ端末は、第１の通信網上の第１のユーザ端末から、第２の通信網上の第２のユーザ端末に対して送信された伝送メッセージを受信した場合、第１の通信網上の第１の配信サーバに対し伝送メッセージを送信し、第１の配信サーバは、伝送メッセージをネットワークに適した文字コードに変換し、また、電話番号からネットワーク用のメールアドレスに変換し、伝送メッセージをネットワークに送信し、ネットワークは、第１の配信サーバから伝送メッセージを受信し、伝送メッセージの宛先に従って、第２の配信サーバに送信し、第２の配信サーバは、伝送メッセージを第２の通信網に適した文字コードに変換し、ネットワーク用のメールアドレスから電話番号へ変換し、第２の通信網上の第２のサービスセンタ端末に伝送メッセージを送信し、第２のサービスセンタ端末から伝送メッセージを第２のユーザ端末に配信することを特徴とする。
【００１５】
請求項９記載の発明は、請求項８記載の発明において、伝送メッセージは、ショートメッセージ又はインスタントメッセージのいずれか一方であることを特徴とする。
【００１６】
請求項１０記載の発明は、請求項８又は９記載の発明において、ネットワークは、ＩＰネットワークであることを特徴とする。
【発明の効果】
【００１７】
本発明によれば、非互換性のネットワークの構成要素とインターワークし、かつそのネットワーク間でフォーマットが異なるＳＭやＩＭを送信する場合に、ホームネットワークに設置されているＳＭＳＣと外部ネットワークに設置されているＳＭＳＣの間に配信サーバを設置することにより、ＳＭの文字コード変換を行い、ＩＰネットワーク経由でＳＭやＩＭ等の送受信を可能とするので、従来のショートメッセージゲートウェイを設置する必要がなく、通信費やゲートウェイ設置コストを削減することができる。
【００１８】
さらに、配信サーバはＩＰネットワーク用のメールアドレス（例えば：ｘｘｘ＠ｙｙ．ｎｅ．ｊｐ）と電話番号との相互変換を行うことが可能であるので、インターネット等のＩＰネットワーク経由で接続された非互換性のネットワーク間でＳＭを配信する場合に、宛先／送信元がＩＰネットワーク用のメールアドレスだけでなく、宛先／送信元のアドレスを電話番号指定でユーザに対して配信することができる。
【発明を実施するための最良の形態】
【００１９】
以下、本発明を実施するための最良の形態について添付図面を参照して詳細に説明する。
【００２０】
（発明の特徴）
本発明は、非互換性のモバイルネットワーク間でＳＭやＩＭ配信を行う場合に、従来のＮｏ．７共通線信号上の特殊なプロトコルを用いるショートメッセージゲートウェイを利用することなく、ＳＭＳＣから受け取ったＳＭをＩＰネットワークに対して配信することが可能な配信サーバを、異なるＳＭＳＣのＩＰネットワークの手前に設置することにより、ＳＭをＮｏ．７共通線信号上の特殊なプロトコルの変換を行わず、ＩＰネットワークに適したプロトコルに変換し、Ｎｏ．７共通線信号を用いずにＩＰネットワークを利用して通信を行うことができる。
さらに、従来、モバイルネットワークからインターネット経由のＳＭは、宛先が電話番号指定では配信不可能であるが、本発明は、配信サーバに保持しているＩＰネットワーク用のメールアドレス（例えば：ｘｘｘ＠ｙｙ．ｎｅ．ｊｐ）と電話番号とが関連付けられたデータベースを参照して相互変換を行い、端末から、異なるモバイルネットワークの宛先に電話番号指定で送信した場合でも、送信元の配信サーバにて宛先の電話番号からインターネット用のメールアドレスに変換を行い、受信先の配信サーバにて、インターネット用のメールアドレスから電話番号に変換を行うことにより、非互換性のモバイルネットワーク間でＳＭを配信する場合に、宛先／送信元がＩＰネットワーク用のメールアドレスだけでなく、宛先／送信元のアドレスを電話番号指定で配信が行うことができる。
【実施例】
【００２１】
〈実施例の構成〉
図１を参照すると、本実施例は、ホームネットワーク上のユーザ端末６０、ＳＭＳＣ１０、及び配信サーバ３０と、外部ネットワーク上のユーザ端末７０、ＳＭＳＣ２０、及び配信サーバ４０と、ＩＰネットワーク等のＩＰネットワーク５０とから構成されている。
【００２２】
ＳＭＳＣ１０は、ＩＭＴ−２０００ネットワークのようなホームネットワーク上に設置されているワークステーション・サーバ等の情報処理装置であり、ＳＭやＩＭを配信サーバ３０に送信する機能、及び、配信サーバ３０から送信されてくるＳＭを受信する機能を備える。
【００２３】
配信サーバ３０は、ホームネットワーク上において、ＳＭＳＣ１０と接続されるように設置されているワークステーション・サーバ等の情報処理端末装置である。この配信サーバ３０は、図３に示すように、受信したＳＭやＩＭの文字コードを送信先のネットワークに適した文字コードに変換する文字コード変換手段、ＩＰネットワーク用のメールアドレスと電話番号とが関連付けられたデータベース、このデータベースを用いてアドレスを相互変換するアドレス変換手段を備えている。また、配信サーバ３０は、通信手段を備えており、ＳＭＳＣ１０から送信されてきたＳＭやＩＭをネットワーク５０に送信したり、ネットワーク５０より送信されてきたＳＭやＩＭをＳＭＳＣ１０に送信したりする。
【００２４】
ＳＭＳＣ２０は、ＰＤＣネットワークのような外部ネットワークに設置されているワークステーション・サーバ等の情報処理端末装置であり、ＳＭやＩＭを配信サーバ４０に送信する機能、及び、配信サーバ４０から送信されてくるＳＭを受信する機能を備える。
【００２５】
配信サーバ４０は、外部ネットワーク上において、ＳＭＳＣ２０と接続されるように設置されているワークステーション・サーバ等の情報処理装置である。この配信サーバ４０は、図３に示すように、受信したＳＭやＩＭの文字コードを送信先のネットワークに適した文字コードに変換する文字コード変換手段、ＩＰネットワーク用のメールアドレスと電話番号とが関連付けられたデータベース、このデータベースを用いてアドレスを相互変換するアドレス変換手段を備えている。また、配信サーバ４０は、通信手段を備えており、ＳＭＳＣ２０から送信されてきたＳＭをネットワーク５０に送信したり、ネットワーク５０より送信されてきたＳＭやＩＭをＳＭＳＣ２０に送信したりする。
【００２６】
ネットワーク５０は、配信サーバ３０及び配信サーバ４０と接続されているネットワークであり、例えばＩＰネットワーク等が挙げられる。
【００２７】
ユーザ端末６０及び７０は、ＰＣ等の情報処理端末装置、又は、携帯電話等の移動体通信端末装置であり、ＳＭＳＣと通信を行う機能を備える。
【００２８】
なお、本実施例の配信サーバ３０及び４０は、図３に示すように、制御手段５及びメッセージ配信プログラムを格納するプログラム格納手段６を有するものとし、メッセージ配信プログラムは、プログラム格納手段６、又は図示しない記録媒体から制御手段に読み込まれ、制御手段５の動作を制御する。制御手段５は、メッセージ配信プログラムの制御により、以下に説明する処理動作を実行する。
【００２９】
〈実施例の処理動作〉
次に、図１、図２、図３を参照して本実施例の処理動作について詳細に説明する。なお、本実施例では、ネットワーク５０はＩＰネットワークであると仮定する。図２は、ＰＤＣネットワーク及びＩＭＴ−２０００ネットワークのような、非互換性のネットワークに設置されているそれぞれのＳＭＳＣ間で、ＳＭやＩＭを送受信した場合の処理動作を示すシーケンス図である。
【００３０】
ホームネットワーク（ＩＭＴ-２０００ネットワーク）に設置されているＳＭＳＣ１０は、自網に属するユーザ端末６０から、他網である外部ネットワーク（ＰＤＣネットワーク）のユーザ端末７０に対して送信されたＳＭやＩＭを受信した場合に（ステップＳ１）、配信サーバ３０にＳＭＳを送信する。（ステップＳ２）。
【００３１】
次に、配信サーバ３０は、ネットワーク５０に適した文字コードにＳＭやＩＭを文字コード変換手段１にて変換し（ステップＳ３）、宛先／送信先メールアドレスを変換（電話番号−ＩＰネットワーク用のメールアドレス）する必要がある場合には、アドレス変換手段３にてアドレス変換を行い（ステップＳ４）、ＳＭやＩＭをネットワーク５０に送信する（ステップＳ５）。
【００３２】
さらに、ネットワーク５０は配信サーバ３０からＳＭやＩＭを受信し、ＳＭやＩＭの宛先に従って、配信サーバ４０に送信する。（ステップＳ６）。
【００３３】
配信サーバ４０は、文字コード変換手段１にて外部ネットワークに適した文字コードに変換し（ステップＳ７）、さらに宛先／送信先メールアドレスの変換（ＩＰネットワーク用のメールアドレス−電話番号）が必要な場合には、アドレス変換手段３にてアドレスの変換を行う（ステップＳ８）。
【００３４】
その後、外部ネットワークに設置されているＳＭＳＣ２０にＳＭやＩＭを送信し、（ステップＳ９）。ＳＭＳＣ２０からＳＭやＩＭがエンドユーザであるユーザ端末７０に配信される（ステップＳ１０）
【００３５】
〈実施例の効果〉
以上のように、本実施例によれば、ＰＤＣネットワーク及びＩＭＴ−２０００ネットワークのような非互換性のネットワーク間においてＩＰネットワークを利用することにより、特殊なプロトコルを用いた、特別な装置であるショートメッセージゲートウェイを利用することなく、フォーマットの異なるＳＭやＩＭの送受信を行うことが可能となる。また、ＩＰネットワークを利用することは、イーサネット（登録商標）を利用することとなり、通信費の低減にも効果がある。
さらに、ＳＭやＩＭの送受信を電話番号のみで、インターネット等を経由して接続される非互換性のネットワーク間をやり取りすることができるようになる。
【００３６】
以上、本発明の実施例について説明したが、上記実施例に限定されるものではなく、その要旨を逸脱しない範囲において種々の変形が可能である。
【図面の簡単な説明】
【００３７】
【図１】本発明の実施例であるメッセージ配信システムの構成を示すブロック図である。
【図２】本発明の実施例であるメッセージ配信システムの動作を示すシーケンス図である。
【図３】本発明の実施例に係る配信サーバの構成を示すブロック図である。
【符号の説明】
【００３８】
１    文字コード変換手段
２    データベース
３    アドレス変換手段
４    通信手段
５    制御手段
６    プログラム格納手段
１０    ＳＭＳＣ
２０    ＳＭＳＣ
３０    配信サーバ
４０    配信サーバ
５０    ネットワーク
６０    ユーザ端末
７０    ユーザ端末
【図１】
2006166129.tif 000003
【図２】
2006166129.tif 000004
【図３】
2006166129.tif 000005